(57)【要約】      （修正有）【課題】身の回りの大事な小物類（鍵、認印、財布、眼鏡、筆記具、メモなど）を探し回ることなく一括して管理することができる調度品であるところの収納箱を提供する。また、簡易な構成で薬の飲忘れを防止することができ、万一、飲み忘れたような場合であっても、何時飲み忘れたかを一見して確認することができる収納箱を提供する。【解決手段】身の回りの小物１００を入れる一又は複数の引出棚２０Ｂと、内部に引出棚を収納する本体部１０とからなる収納箱１であって、少なくとも一の引出棚が、薬を入れることができる間仕切りと、服用する時間帯に応じて区分けされ、間仕切りを複数配列する薬収容部と、薬収容部に隣接して配置し、箸箱を収容することができる箸収容部と、を備え、服用していない時間帯の薬を一見して確認できる。【選択図】図１
0003219106.tif 000002
【実用新案登録請求の範囲】
【請求項１】
身の回りの小物を入れる一又は複数の引出棚と、内部に前記引出棚を収納する本体部とからなる収納箱であって、
少なくとも一の前記引出棚が、薬を入れることができる間仕切りと、服用する時間帯に応じて区分けされ、前記間仕切りを複数配列する薬収容部と、前記薬収容部に隣接して配置し、箸箱を収容することができる箸収容部と、を備え、
服用していない時間帯の薬を一見して確認できることを特徴とした収納箱。
【請求項２】
前記間仕切りの底部を丸くし、薬を取り出し易いように形成されたことを特徴とした請求項１に記載の収納箱。
【請求項３】
前記引出棚には、着脱自在のタイマーを収容することができるタイマー収容部をさらに備えたことを特徴とした請求項１又は請求項２に記載の収納箱。
【請求項４】
前記収納箱は、薬又はインスリン注射器セットを入れるストッカーをさらに備え、
該ストッカーを上又は下に組み合わせて使用することができることを特徴とした請求項１乃至請求項３のうちいずれか一に記載の収納箱。
【請求項５】
本体部と箸箱とからなる収納箱であって、
前記本体部は、服用する時間帯に応じて間仕切りによって区分けされた複数の薬収容部が形成されることを特徴とした収納箱。
【請求項６】
間仕切りが設けられている本体部と、該本体部を覆う蓋体とからなる収納箱であって、
前記本体部は、前記間仕切りによって、薬収容部、箸収容部、タイマー収容部、予備収容部の少なくとも一以上が形成されることを特徴とした収納箱。
【請求項７】
間仕切りが設けられている本体部と、該本体部を覆う蓋体と、箸箱とからなる収納箱であって、
前記本体部は、前記間仕切りによって、薬収容部、タイマー収容部、予備収容部の少なくとも一以上が形成され、
前記箸箱は、前記蓋体に対し平行に配置され、又は、前記蓋体に載置されることを特徴とした収納箱。
【請求項８】
間仕切りが設けられている本体部と、該本体部を覆う蓋体と、箸箱とからなる収納箱であって、
前記本体部は、前記間仕切りによって、薬収容部、タイマー収容部、予備収容部の少なくとも一以上が形成され、
前記本体部の前面に箸箱収納凹部を形成し、この箸箱収納凹部の前面側端面に断面視半円形状の突起部を設け、
前記箸箱には、前記突起部に適合する溝部を設け、
嵌まり合う突起部と溝部との組み合わせにより前記箸箱が回動自在となり、前記箸箱が前記箸箱収納凹部に収納自在となることを特徴とした収納箱。
【考案の詳細な説明】
【技術分野】
【０００１】
本考案は、薬、箸等の身の回りの小物を入れる収納箱に関する。
【背景技術】
【０００２】
薬を服用する者にとっては、例えば、医師の処方により、１日のうち、朝、昼、夕の食前、食後、場合によって食間に薬を服用することが決められているが、特に高齢者にあっては物忘れによって、決められた時において薬を飲み忘れることがある。薬を服用する時間としては、食前、食後、食間等のように、食事をする時間帯と大いに関連があるため、従来から薬の飲み忘れを防止することを目的として、食事の際に使用する箸と関連させた発明や考案が存在する。
【０００３】
文献１は、薬を収納する複数の薬箱と箸箱・箸立てを合体させたもので、薬箱のどれか一つを引き出すことによりロックが外れて箸箱・箸立ての蓋が開き、箸を手にすることができる考案である。
【先行技術文献】
【特許文献】
【０００４】
【特許文献１】特開２００５−８１０６７号公報
【考案の概要】
【考案が解決しようとする課題】
【０００５】
文献１は、薬箱のどれか一つを引き出すことによりロックが外れて箸箱・箸立ての蓋が開くという構造であるため、部品点数の増加や構造上複雑となり、コストがあがることとなる。また、物忘れに関連しては、例えば、印鑑、保険証などの身の回りの小物が必要な時にそれらの小物をどこにしまったか忘れてしまうことがあり、身の回りの小物を一つの収納箱に集約して管理することができれば、必要な時には集約した先を探すことによって、すぐに見つけ出して使用することができ、探す時間が省けて、物が見つからないストレスも軽減される。したがって、身の回りの小物を一元集約するということは極めて有効なことである。
【課題を解決するための手段】
【０００６】
そこで、本考案は、上記課題を解決するため、薬を忘れずに必ず服用できる箸と薬をセットにした収納箱を主体に、身の回りの大事な小物類（鍵、認印、財布、眼鏡、筆記具、メモなど）を探し回ることなく一括して管理することができる調度品であるところの収納箱を提供する。また、簡易な構成で薬の飲忘れを防止することができ、万一、飲み忘れたような場合であっても、何時飲み忘れたかを一見して確認することができる収納箱を提供する。
【０００７】
請求項１の考案は、身の回りの小物を入れる一又は複数の引出棚と、内部に引出棚を収納する本体部とからなる収納箱であって、少なくとも一の引出棚が、薬を入れることができる間仕切りと、服用する時間帯に応じて区分けされ、間仕切りを複数配列する薬収容部と、薬収容部に隣接して配置し、箸箱を収容することができる箸収容部と、を備え、服用していない時間帯の薬を一見して確認できることを特徴とした収納箱である。
【０００８】
請求項２の考案は、間仕切りの底部を丸くし、薬を取り出し易いように形成されたことを特徴とした請求項１に記載の収納箱である。
【０００９】
請求項３の考案は、引出棚には、着脱自在のタイマーを収容することができるタイマー収容部をさらに備えたことを特徴とした請求項１又は請求項２に記載の収納箱である。
【００１０】
請求項４の考案は、収納箱は、薬又はインスリン注射器セットを入れるストッカーをさらに備え、ストッカーを上又は下に組み合わせて使用することができることを特徴とした請求項１乃至請求項３のうちいずれか一に記載の収納箱である。
【００１１】
請求項５の考案は、本体部と箸箱とからなる収納箱であって、本体部は、服用する時間帯に応じて間仕切りによって区分けされた複数の薬収容部が形成されることを特徴とした収納箱である。
【００１２】
請求項６の考案は、間仕切りが設けられている本体部と、本体部を覆う蓋体とからなる収納箱であって、本体部は、間仕切りによって、薬収容部、箸収容部、タイマー収容部、予備収容部の少なくとも一以上が形成されることを特徴とした収納箱である。
【００１３】
請求項７の考案は、間仕切りが設けられている本体部と、本体部を覆う蓋体と、箸箱とからなる収納箱であって、本体部は、間仕切りによって、薬収容部、タイマー収容部、予備収容部の少なくとも一以上が形成され、箸箱は、蓋体に対し平行に配置され、又は、前記蓋体に載置されることを特徴とした収納箱である。
【００１４】
請求項８の考案は、間仕切りが設けられている本体部と、本体部を覆う蓋体と、箸箱とからなる収納箱であって、本体部は、間仕切りによって、薬収容部、タイマー収容部、予備収容部の少なくとも一以上が形成され、本体部の前面に箸箱収納凹部を形成し、箸箱収納凹部の前面側端面に断面視半円形状の突起部を設け、箸箱には、突起部に適合する溝部を設け、嵌まり合う突起部と溝部との組み合わせにより箸箱が回動自在となり、箸箱が箸箱収納凹部に収納自在となることを特徴とした収納箱である。
【考案の効果】
【００１５】
請求項１の考案では、薬収容部に隣接して箸収容部が配置されているため、極力、薬の飲み忘れを防止することができる。また、薬収容部の配置により、万一、飲み忘れたような場合であっても、飲み忘れた時間帯を一見して確認することができる。さらには、身の回りの小物を一元集約することにより、探す時間が省けて、物が見つからないストレスも軽減される。
【００１６】
請求項２の考案では、間仕切りの底部の形状によって、薬を取り出しやすくすることができる。
【００１７】
請求項３の考案では、タイマーを収容することができるため、音等で知らせることができ、より薬の飲み忘れを防止することができる。
【００１８】
請求項４の考案では、薬又はインスリン注射器セットを一元集約して保管することができる。
【００１９】
請求項５の考案では、薬と箸と集約して保管するため、薬の飲み忘れを防止することができる。
【００２０】
請求項６の考案では、手軽に薬をはじめとする小物を一元集約して保管することができる。
【００２１】
請求項７の考案では、小物を一元集約して保管することができる収納箱を小さくすることができ、小さなスペースにも置くことができる。
【００２２】
請求項８の考案では、薬を収納する引出棚の箸を収納する箸収容部を取り出して洗浄できるため、衛生的である。
【考案を実施するための最良の形態】
【００２３】
本考案である収納箱１の実施形態の一例を以下説明する。本考案は、謂わば、「箸あるところに薬あり」、すなわち、薬の飲み忘れがない、薬と箸をセットにした収納箱で、食前等に服用する薬の飲み忘れを防ぐため、薬と箸を一緒にセットし、食事の箸をとる時、必ず食前の薬を飲むことができる。また、食後の薬は、食前の箸を取る時、食後にタイマーが鳴るようにタイマーのボタンを押し、タイマーは、２０分、３０分、４０分、５０分など、任意の時間内に知らせる。これにより、必ず食後の薬を飲むことができる。
【００２４】
さらには、タイマー音で、食後１時間・１時間半に運動（医師の指導のもとでの体操・散歩等）の時間を知らせることにより、健康な生活が過ごせる。
【００２５】
高齢者なる人々は、物忘れがだんだんと強くなるため、鍵、印鑑、財布、カード、メガネ、コンパクトカメラ等大事な物からちょっとした小物・メモそれらをこの収納箱と一緒に全てを管理することが望ましい。そして、この収納箱に全て保管する「クセ」をつければ、物探しのストレスを受けることなく、暮らしにやすらぎが得られる。
【００２６】
本考案の収納箱１は、身の回りの小物１００を入れることができる一又は複数の引出棚２０と、内部に引出棚２０を収納する本体部１０とからなり、様々なバリエーションの引出棚２０が本体部１０から引き出し自在とする構成である。なお、身の回りの小物１００とは、例えば、薬１０１，認印、筆記具、腕時計、老眼鏡などの眼鏡、爪切り、耳かき、鍵、手帳、小銭入れ、切手、はがき、封筒、祝儀袋、香典袋の他、大きい物ではコンパクトカメラ等を一括管理する物として挙げられるが、これらに限定されないことは勿論である。
【００２７】
本体部１０は、直方体形状又は立方体形状であり、前面１０ａから引出棚２０を引き出し自在に収納できる。この引出棚２０の数やタイプは適宜選択可であり、例えば、引出棚２０の数を一とする場合、二から四とする場合、それ以上とする場合、さらには、比較的棚が浅いタイプである浅型引出棚２０Ａ、比較的棚が深いタイプである深型引出棚２０Ｂを適宜選択することができる。よって、配置する引出棚２０の数、タイプによって、図１、図２、図４、図６等で図示したように本体部１０の大きさが異なることとなる。また、本体部１０の上面１０ｂを載置台とし、この載置台にも身の回りの小物１００を置くことができる。
【００２８】
上述のように、引出棚２０の数やタイプは様々なバリエーションが考えられるため、次に挙げる例に限定されないことはもちろんである。なお、本実施形態では、本体部１０に収納する引出棚２０の配置位置を、上から順に第一段目、第二段目、第三段目、第四段目と称呼する。
【００２９】
バリエーションとしては、例えば、図１で図示したような、第一段目、第二段目に収納する引出棚２０が共に深型引出棚２０Ｂとする第１実施例、図２等で図示したような、第一段目に収納する引出棚２０が浅型引出棚２０Ａ、第二段目、第三段目に収納する引出棚２０が深型引出棚２０Ｂとする第２実施例、図４で図示したような、第一段目から第三段目まで収納する引出棚２０が深型引出棚２０Ｂとする第３実施例、図６で図示したような、第一段目に収納する引出棚２０が浅型引出棚２０Ａ、第二段目から第四段目まで収納する引出棚２０が深型引出棚２０Ｂとする第４実施例等が挙げられる。その他、第１段目から第４段目まで全て深型引出棚２０Ｂとする構成であってもよい。
【００３０】
本体部１０の材質は特に限定されず、例えば、樹脂製、木製、木製よりも安価に製造可能な人工木材製等が考えられる。木製、人工木材で製造された場合は、鎌倉彫、日光彫等の装飾を施すことができる。なお、木製であれば湿気を吸収するため、薬１０１の保管に適している。
【００３１】
身の回りの小物１００を入れることができる引出棚２０の形状、深さなどについては特に限定されないが、形状に関しては、例えば、上方開放の直方体形状とし、引出棚２０の深さに関しては、上述した浅型引出棚２０Ａ、浅型引出棚２０Ａよりも深さがある深型引出棚２０Ｂに分類することができる。
【００３２】
浅型引出棚２０Ａは、主に、仕切りなどない平皿で、病院や薬局からの指示書、お薬手帳、お薬説明書、検査データ書類、運動、リハビリ、食事の指導書など、枚葉物を収容するのに適している。深型引出棚２０Ｂは、仕切りなどを設け、ある程度嵩があるため、薬１０１、箸箱５０、タイマー７０ａ、コンパクトカメラ等を入れるのに適している。なお、指示書等の書類の大きさは、Ａ４、Ｂ５等問わないため、浅型引出棚２０Ａの大きさは、各種書類の大きさに合わせることが出来る。その他、Ａ４、Ｂ５等の用紙を折り畳んだ大きさに合わせても良い。
【００３３】
また、引出棚２０の前面２０ａには船底形の把手２７が突出し、この把手２７を利用して引出棚２０を出し入れする。他には、引出棚２０の前面２０ａに窪み部２８を形成し、この窪み部２８に指等を引っ掛けて引出棚２０を出し入れする。前面２０ａに船底形の把手２７が突出するのは、主に深型引出棚２０Ｂ、前面２０ａに窪み部２８を形成するのは、主に浅型引出棚２０Ａが望ましいが、これに限定されない。その他、図１１，図１２で図示したような引っ掛け部を備えた構成であってもよい。
【００３４】
図１５，図１６で図示したように、引出棚２０は、本体部１０の底板１４に載置され、底板１４に対して引出棚２０が摺動して、引出し自在となる。また、引出棚２０の引出し過ぎによる落下を防止するための構成に関しては、例えば、底板１４に開口１４ａを形成し、引出棚２０の底面後側にストッパー２９を設ける構成が考えられる。そして、配置に関しては、開口１４ａ内にストッパー２９が位置するように引出棚２０を設置し、引出棚２０を底板１４に載置する。このような構成、配置とすることにより、引出棚２０を引出した場合は、引出棚２０のストッパー２９が底板１４の開口１４ａ内を前後動することとなるが、引出棚２０を過度に引き出した場合であっても、ストッパー２９が開口端１４ｂに接触して止まるため、引出棚２０の落下を防止することができる。なお、引出棚２０を取り外す際は、引出棚２０のストッパー２９を開口端１４ｂよりも上に持ち上げることによって取り外すことができる。
【００３５】
引出棚２０の材質も特に限定されず、例えば、樹脂製、木製、木製よりも安価に製造可能な人工木材製等が考えられる。なお、木製であれば湿気を吸収するため、薬１０１の保管に適している。
【００３６】
本体部１０には一又は複数の引出棚２０が収納されるが、この引出棚２０のうち、少なくとも一が、図９等にあるように間仕切り２１、薬収容部２３、箸収容部２６等が備えられている深型引出棚２０Ｂである。以下、間仕切り２１、薬収容部２３、箸収容部２６等が備えられている深型引出棚２０Ｂについて説明する。
【００３７】
間仕切り２１は、使用者が服用する薬１０１をカップ本体内に入れておくものであり、後述する薬収容部２３に複数配列される。したがって、薬１０１を入れておくことができれば、どのような構成でもよい。例えば、収容される薬１０１を仕切る間仕切りで仕切られることによって各間仕切り２１が形成される構成等が考えられる。また、視覚による注意を促すため、間仕切り２１をそれぞれ別の色で色分けされる構成も考えられる。
【００３８】
間仕切り２１の形状としては、例えば、図示しない側面視略Ｕ字形、側面視略Ｖ字形等とすることができ、また、図２６で図示したように、間仕切り２１の角隅部にＲを設けることによって、薬１０１を取り出しやすくすることもできる。間仕切り２１の大きさとしては、薬１０１の量等によって適宜選択することができる。間仕切り２１の数としては、一週間の朝、昼、夕の食前食後、食感等の時間帯に対応した数を適宜選択することができる。
【００３９】
また、食前に服用する薬１０１を入れる間仕切り２１の色と、食後に服用する薬１０１を入れる間仕切り２１の色を別に配色することによって、食前に服用する薬１０１を誤って食後に服用したり、また、食後に服用する薬１０１を誤って食前に服用したりといったことを防止することができる。
【００４０】
薬収容部２３は、主に、横外枠２４、縦外枠２５、これらで囲繞された領域内に複数配列する間仕切り２１等の構成とする。
【００４１】
図３０で図示するように、薬収容部２３の横外枠２４には「朝」、「昼」、「夕」等と表示され、また、薬収容部２３の縦外枠２５には一週間の曜日である「日」、「月」、「火」、「水」、「木」、「金」、「土」等と表示され、その表示に合わせて各間仕切り２１が複数配列する。したがって、各間仕切り２１は、使用者が服用する曜日、時間帯に応じて区分けされていることとなる。このように配列すれば、服用していない時間帯が一目瞭然であるため、薬１０１の飲み忘れを防止することができる。
【００４２】
また、薬収容部２３には、粉薬の袋を縦半分又は横半分に折るか、又は、丸めて収納することができるが、間仕切り２１に薬１０１が入れにくいような場合は、図示しないヘラ等を使用して入れることができ、また、取り出しにも便利である。この場合、例えば、引出棚２０の側面にヘラ収納用の窪みを設けて、この窪みにヘラを着脱自在に収納することによって、ヘラの紛失を防止することができる。
【００４３】
上述のように、薬収容部２３には間仕切り２１が配列されるが、この間仕切り２１は、薬収容部２３に固定されている構成の他、間仕切り２１が薬収容部２３から着脱自在とする構成も挙げられる（不図示）。
【００４４】
図示しないが、薬収容部２３から着脱自在となる場合の間仕切り２１の構成としては、例えば、薬１０１を入れておくことができる上方開口の間仕切り本体と、間仕切り本体の上方の開口周縁に備えた鍔部とからなる構成が考えられる。この場合の薬収容部２３の構成としては、主に、横外枠２４、縦外枠２５、これらで囲繞された領域内に縦枠、横枠を格子状に組み合わせた係止枠が配置され、そして、この格子状に配置された係止枠に間仕切り本体の上方の開口周縁に備えた鍔部を係止することによって薬収容部２３内に間仕切り３２を係止して収容することができる。
【００４５】
その他、間仕切り２１に鍔部がなく間仕切り２１本体のみで構成され、係止枠で区分けされた空間に収容される場合であってもよい（図２４参照）。
【００４６】
間仕切り２１の一部に突起や凹凸等を設けることもできる（不図示）。これにより、薬収容部２４から間仕切り３２が取り出しやすくなる。
【００４７】
また、着脱自在の間仕切り２１の場合は、食前食後に服用する二種類の薬を入れる場合は、二つの間仕切り２１を連設する構成が考えられる（図２５参照）。
【００４８】
図２７で図示したように、間仕切り２１に仕切板２２を配置する構成も考えられる。この仕切板２２は、間仕切り２１本体内を前後方向、又は、左右方向に仕切るものであり、間仕切り２１内に固定されていない構成の他、固定されている構成であってもよい。
【００４９】
仕切板が間仕切り２１内に固定されていないような構成の場合、仕切板２２を間仕切り２１の内面に沿ってスライド自在に設けることができる（図２７参照）。これにより、使用者は、食前の薬１０１、食後の薬１０１を仕切板で分けて収容することができ、仕切板２２をスライドさせることによって食前の薬１０１、食後の薬１０１のどちらか一方を収容しておくことができる。もちろん、仕切板２２を取り外すことによっても対処できる。
【００５０】
仕切板２２が間仕切り２１内に固定されている構成（不図示）の場合、仕切板２２の固定端が間仕切り２１の底部に固定する構成が考えられる。この場合、固定位置は特に限定されないが、間仕切り２１の底部の略中央に固定すること等が考えられる。これによっても、使用者は、食前の薬１０１、食後の薬１０１を仕切板で分けて収容することができ、また、仕切板を前方や後方に倒すことによって食前の薬１０１、食後の薬１０１のどちらか一方を収容しておくことができる。
【００５１】
図９等で図示したように、引出棚２０には、箸５０ａを収容することができる箸収容部２６を備えている。ここで、箸収容部２６には、箸５０ａを直接入れる場合、又は、箸箱５０を入れる場合のいずれであってもよい。
【００５２】
箸箱５０の長さとしては、箸５０ａの長さを例えば２１〜２３センチ位と想定し、この長さの箸５０ａを入れることが望ましい位の長さとすることが考えられる。また、箸箱５０に入れる箸５０ａの長さとして割り箸の長さを想定し、この長さの割り箸を入れることが望ましい位の長さとすることが考えられる。なお、割り箸の長さとしては、例えば、６寸（１６．５センチ）、７寸（１８センチ）、８寸（２１センチ）、９寸（２４センチ）等が挙げられる。箸５０ａが短くなることによって箸箱５０の長さも短くなり、それによって収納箱１自体の大きさもコンパクトになり、収納箱１の持ち運びが容易となる。
【００５３】
箸収容部２６は、薬収容部２３に隣接して配置している。引出棚２０に対して上下方向に備えてもよいし、左右方向に備えてもよい。また、箸収容部２６の下には、塗り薬等を収納するスペースを設けることができる。
【００５４】
箸収容部２６に箸５０ａを直接入れる場合の構成としては、例えば、箸収容部２６を上面開放の箱体とし、底板２６ａには箸５０ａを載せることができる載置部２６ａ１を設ける構成が考えられる。このような構成とすることによって、底板２６ａと箸との間を風通し良く乾燥させ、衛生的である。また、底板５１に穴２６ａ２を形成し、この穴２６ａ２に指等を入れて箸収容部２６を取り外すこともできる。このように、箸収容部２６を着脱自在とすると、汚れたときに取り外して洗うことができ衛生的である。箸５０ａを載せることができる載置部２６ａ１は、穴２６ａ２を形成することによって風通しが良く衛生的であり、また、取り外すことによって単独でも使用することができる。
【００５５】
箸収容部２６に箸箱５０を直接入れる場合の構成としては、例えば、箸箱５０を取り出しやすくするため、箸収容部２６には箸箱５０が底上げしたような状態となって収容されることが望ましい。具体的には、箸箱５０を載置する前後方向に二つのコの字形の箸箱載置台２６ｂを備える構成や（図２５）、箸収容部２６内の側面に、箸箱底上げ用の板片を配置し、箸箱が板片に載置されることによって、箸箱を箸収容部の底部から浮かす構成（不図示）が考えられる。
【００５６】
また、箸箱５０を取り出しやすくするために、引出棚２０の側面の一部に窪み２６ｄを設ける構成も考えられる（図２４参照）。また、箸収容部２６に空間を作り、この空間を利用することによって箸箱５０を引出棚２０から取り出しやすくすることができる。
以上のように、箸収容部２６に収容する箸箱５０、箸箱５０に収容する箸５０ａは、どのような長さ等の箸箱５０、箸５０ａであってもよいため、長年使用している愛着のある箸箱５０、箸５０ａを使用することができる。
【００５７】
図２５で図示したように、箸収容部２６の下方には、ナイフ、フォーク、スプーンのうち少なくとも一以上を収容することができる飲食用具収容部２６ｃを備えることができる。具体的には前後方向に配置した二つのコの字形の箸箱載置台２６ｂの間の範囲内に飲食用具収容部２６ｃを備え、ここをスプーン収容部、フォーク収容部とし、ここにスプーンやフォークを収納することができもできる。
【００５８】
図９等で図示したように、引出棚２０には、薬１０１の服用者に服用時間を知らせるタイマー７０ａを収容することができるタイマー収容部７０を備えることもできる。タイマー収容部７０には、例えば市販のタイマー７０ａを収容することができ、収容したタイマー７０ａを薬１０１の服用者が操作することによって、薬１０１を服用する時間になったらアラーム音、光、振動等で使用者に知らせることができる。その他、タイマー７０ａで食後の運動時間も知らせることができる。箸を取ったあとにタイマーのボタンを押すことを習慣付けることが望ましい。
【００５９】
また、タイマー７０ａを引出棚から取り出しやすくするために、引出棚２０の側面の一部に窪み７０ｄを設ける構成も考えられる（図２４参照）。また、タイマー７０ａを収容した箸収容部２６に空間をつくることによって、空間を利用することによってタイマー７０ａを取り出しやすくすることができる。さらには、光の点滅によって時間を知らせるタイマー７０ａを収容する場合、引出棚２０の前面には、光による点滅が視認できるように穴２０ｂを形成することが望ましい。
【００６０】
その他の引出棚２０には、仕切りで区分けしたスペースに認印、筆記具、腕時計、老眼鏡などの眼鏡、爪切り、耳かき、鍵、手帳、小銭入れ、切手、はがき、封筒を入れることができ、これらを入れることができるような任意の仕切りを備えることもできる（図１等参照）。また、引出棚２０の大きさは任意であり、大学ノート等の各種ノート、手帳、日記帳等が入る大きさが望ましい。
【００６１】
引出棚２０は、夫婦それぞれが間仕切り２１、薬収容部２３、箸収容部２６等が備えられている引出棚２０を使用することにより、お互いの薬等の管理も容易となり、また、薬の飲み忘れも防止することができる。引出棚２０を夫婦で二段セットで使用することができるが、一人で二週間分の薬を入れることができる。
【００６２】
引出棚２０の組み合わせは任意であり、比較的、薬の量が少ない使用者の向けの引出棚２０、薬の量が多い使用者の向けの引出棚２０、これらを組み合わせて使用することができる。また、仕切りの数、大きさ等も任意であり、組み合わせ自由である。したがって、箸収容部２６を備えた深型引出棚２０Ｂの薬収容部２３に一週間分から二週間分の薬を入れ、その他の深型引出棚２０Ｂに老眼鏡、印鑑、爪切り等、身の回りの小物１００を収納しておけば、必要な時に必要な小物１００をすぐに探し出すことができ、便利である。
【００６３】
その他の実施例１としては、図１８、図１９、図２８で図示したように、収納される小物１００を仕切る間仕切り３が設けられている本体部１０と、本体部１０を覆う蓋体２とからなり、本体部１０は、間仕切り３によって、箸収容部２６、薬収容部２３、タイマー収容部７０、予備収容部３０の少なくとも一以上が形成される。本体部１０と蓋体２との関係は、両者が完全に分離する構成の他、本体部１０の一端に蝶番を介して蓋体２が連結され、蓋体２が開閉自在となる構成も含まれる。この例では、間仕切り３によって様々な収容部を形成することができる。なお、本体部１０に薬収容部２３が形成されていない場合は、図１９のように、箸箱５０とセットで使用することができる。
【００６４】
その他の実施例２としては、図２０で図示したように、収納される小物１００を仕切る間仕切り３が設けられている収納箱１に蓋体２を載せ、その蓋体２にさらに箸箱５０を載せる構成も挙げられる。具体的には、間仕切り３が設けられている本体部１０と、本体部１０を覆う蓋体２と、箸箱５０とからなり、本体部１０は、間仕切り３によって、薬収容部２３、タイマー収容部７０、箸収容部２６、予備収容部３０の少なくとも一以上が形成され、箸箱５０は、蓋体２に対し平行に配置され、又は、蓋体２に載置される。この構成の場合、収納箱１自体の幅を狭くすることができ、収納箱１の保管や、持ち運びに便利となる。なお、箸箱５０は、蓋体２がスライド自在となっている。この例では、箸収容部２６と、比較的広い間仕切りによって薬収容部２３が設けられている。
【００６５】
その他の実施例３としては、図２１で図示したように、収納される小物１００を仕切る間仕切り３が設けられている収納箱１の前面１aに箸箱５０を収納する構成も挙げられる。具体的には、間仕切り３が設けられている本体部１０と、本体部１０を覆う蓋体２と、箸箱５０とからなる収納箱１で、本体部１０は、間仕切り３によって、薬収容部２３、タイマー収容部７０、箸収容部２６、予備収容部３０の少なくとも一以上が形成され、本体部１０の前面１ａに箸箱収納凹部５を形成し、箸箱収納凹部５の前面側端面に断面視半円形状の突起部５ａを設け、箸箱５０には、突起部５ａに適合する溝部５３を設け、嵌まり合う突起部５ａと溝部５３との組み合わせにより箸箱５０が回動自在となり、箸箱５０が箸箱収納凹部５に収納自在となる。すなわち、箸箱５０の自重で箸箱５０が下がることによって箸箱５０が箸箱収納凹部５に収まる。
【００６６】
その他の実施例４としては、図２２で図示したように、収納される小物１００を仕切る間仕切り３によって、薬収容部２３、タイマー収容部７０、箸収容部２６、予備収容部３０の少なくとも一以上が形成されている引出棚２０が、本体部１０に収納自在としている。
【００６７】
その他の実施例５としては、図２３で図示したように、本体部１０に、間仕切り３によって、薬収容部２３、タイマー収容部７０、箸収容部２６、予備収容部３０の少なくとも一以上が形成され、また、身の回りの小物１００を入れる一又は複数の引出棚２０を本体部１０に収納することができる。
【００６８】
図２９で図示したように、シンプルな例として、本体部１０と箸箱５０とからなり、本体部１０は、間仕切り３によって複数の収容部が形成される構成であってもよい。図示しないが、本体部１０に、薬１０１を服用する時間帯である「朝」、「昼」、「夕」、また、一週間の曜日である「日」、「月」、「火」、「水」、「木」、「金」、「土」が表示されることによって、服用する時間帯に応じて区分けできる。
【００６９】
図９等で図示したように、引出棚２０には、予備収容部３０を備えることができ、この予備収容部３０には、塗り薬、常備薬等を入れることができる。
【００７０】
また、その他、図３、図５、図７、図８等で図示したように、薬１０１、インスリン注射器セット、注射針、血糖値検査機器、消毒シート等の小物１００をストックしておくストッカー６０を同時に組み合わせて使用することも考えられる。ここで、ストッカー６０としては、例えば、上方開口で、収納箱１と略相似形とし、１週間分の各種薬１０１等をストックしておく収容部が複数設けられている構成が考えられ、収納箱の上にストッカー６０を載せて上下二段で使用することもできる。ここで、インスリン注射器セットの内容物としては、血糖値測定器、注射器、注射針、製剤等である。
【００７１】
例えば、本体部１０の上面四辺に嵌合溝部を突設し、ストッカー６０の下面四隅にＬ字形の嵌合溝部を突設し、本体部の嵌合溝部とストッカーの嵌合溝部を嵌合することによって、本体部の上にストッカー６０を載置する。
【００７２】
その他、図示しないが、収納箱１の下にストッカー６０を載置する構成であってもよいし、図３等で図示したように、ストッカー６０の上に上蓋を載置する構成であってもよい。
【００７３】
引出棚２０、間仕切り２１、薬収容部２３は、一体成形であってもよいし、別成形であってもよい。
【００７４】
箸箱５０の大きさ、これに伴う箸収容部２６の大きさ、深さ、容量等は特に限定されず、どのような大きさ、深さ、容量であってもよい。
【００７５】
タイマー７０ａの大きさ、これに伴うタイマー収容部７０の大きさ、深さ、容量等は特に限定されず、どのような大きさ、深さ、容量であってもよい。
【００７６】
薬収容部２３は、薬１０１の量等によって様々な配置スペースとすることができる。朝昼晩、食前食後の薬を配置する区分はもちろんのこと、就寝前、随時服用する薬１０１を配置する区分、粉薬の袋のまま収納することができ便利である。多量の薬１０１を服用する使用者の場合、区分を大きくすることができる。また、引出棚２０内には、塗り薬、絆創膏、常備薬等の薬を入れておくことができる。
【図面の簡単な説明】
【００７７】
【図１】図１は、第１実施例の収納箱の斜視図である。
【図２】図２は、第２実施例の収納箱の斜視図である。
【図３】図３は、第２実施例の収納箱にストッカーを載せた状態の斜視図である。
【図４】図４は、第３実施例の収納箱の斜視図である。
【図５】図５は、第３実施例の収納箱に装飾を施したストッカーを載せた状態の斜視図である。
【図６】図６は、第４実施例の収納箱の斜視図である。
【図７】図７は、第４実施例の収納箱にストッカーを載せた状態の斜視図である。
【図８】図８は、第４実施例の収納箱に装飾を施したストッカーを載せた状態の斜視図である。
【図９】図９は、引出棚の一例の平面図である。
【図１０】図１０は、引出棚の他の一例の平面図である。
【図１１】図１１は、第５実施例の収納箱の斜視図である。
【図１２】図１２は、第５実施例の引出棚の一例の平面図である。
【図１３】図１３は、第６実施例の収納箱の斜視図である。
【図１４】図１４は、第６実施例の引出棚の一例の平面図である。
【図１５】図１５は、収納箱の底面からの模式図である。
【図１６】図１６は、収納箱の側面からの模式図である。
【図１７】図１７は、引出棚の側面からの模式図である。
【図１８】図１８は、他の実施例１の収納箱の斜視図である。
【図１９】図１９は、他の実施例２の収納箱の斜視図である。
【図２０】図２０は、他の実施例３の収納箱の斜視図である。
【図２１】図２１は、他の実施例４の収納箱の斜視図である。
【図２２】図２２は、他の実施例５の収納箱の斜視図である。
【図２３】図２３は、他の実施例６の収納箱の斜視図である。
【図２４】図２４は、係止枠で区分けされた空間に間仕切りが収容され状態を図示した引出棚の一例の模式図である。
【図２５】図２５は、連設した間仕切りを図示した引出棚の一例の模式図である。
【図２６】図２６は、間仕切りの角隅部にＲを設けた状態を図示した引出棚の一例の模式図である。
【図２７】図２７は、間仕切りに仕切板２２を配置した状態を図示した引出棚の一例の模式図である。
【図２８】図２８は、他の実施例の別の変形例の収納箱の斜視図である。
【図２９】図２９は、箸箱と本体部からなる収納箱の斜視図である。
【図３０】図３０は、引出棚の他の一例の平面図である。
【図３１】図３１は、第４実施例の収納箱の正面模式図である。
【符号の説明】
【００７８】
１：収納箱
１ａ：前面
２：蓋体
３：間仕切り
５：箸箱収納凹部
５ａ：突起部
１０：本体部
１０ａ：前面
１０ｂ：上面
１４：底板
１４ａ：開口
１４ｂ：開口端
２０：引出棚
２０ａ：前面
２０ｂ：穴
２０Ａ：浅型引出棚
２０Ｂ：深型引出棚
２１：間仕切り
２２：仕切板
２３：薬収容部
２４：横外枠
２５：縦外枠
２６：箸収容部
２６ａ：底板
２６ａ１：載置部
２６ａ２：穴
２６ｂ：箸箱載置台
２６ｃ：飲食用具収容部
２６ｄ：窪み
２７：把手
２８：窪み部
２９：ストッパー
３０：予備収容部
５０：箸箱
５０ａ：箸
５３：溝部
６０：ストッカー
７０：タイマー収容部
７０ａ：タイマー
７０ｄ：窪み
１００：小物
１０１：薬
【図１】
0003219106.tif 000003
【図２】
0003219106.tif 000004
【図３】
0003219106.tif 000005
【図４】
0003219106.tif 000006
【図５】
0003219106.tif 000007
【図６】
0003219106.tif 000008
【図７】
0003219106.tif 000009
【図８】
0003219106.tif 000010
【図９】
0003219106.tif 000011
【図１０】
0003219106.tif 000012
【図１１】
0003219106.tif 000013
【図１２】
0003219106.tif 000014
【図１３】
0003219106.tif 000015
【図１４】
0003219106.tif 000016
【図１５】
0003219106.tif 000017
【図１６】
0003219106.tif 000018
【図１７】
0003219106.tif 000019
【図１８】
0003219106.tif 000020
【図１９】
0003219106.tif 000021
【図２０】
0003219106.tif 000022
【図２１】
0003219106.tif 000023
【図２２】
0003219106.tif 000024
【図２３】
0003219106.tif 000025
【図２４】
0003219106.tif 000026
【図２５】
0003219106.tif 000027
【図２６】
0003219106.tif 000028
【図２７】
0003219106.tif 000029
【図２８】
0003219106.tif 000030
【図２９】
0003219106.tif 000031
【図３０】
0003219106.tif 000032
【図３１】
0003219106.tif 000033